【手続補正書】
【提出日】平成18年12月20日(2006.12.20)
【手続補正１】
【補正対象書類名】特許請求の範囲
【補正対象項目名】全文
【補正方法】変更
【補正の内容】
【特許請求の範囲】
【請求項１】
潜水期間中における圧力から水深を計測する圧力計測部と、
タンク残圧を検出するためにタンク側に設けられたタンク残圧検出部から、無線により前記タンク残圧を受信し、受信した前記タンク残圧に基づいて前記タンク残圧の単位時間当たりの減少率に相当するエア消費率を算出するエア消費率算出部と、
前記エア消費率と、所定の基準エア消費率とを比較してダイバーが呼吸を行っているか否かを判別する比較部と、
前記水深の変化および前記判別に基づいて、浮上中に前記ダイバーが所定期間以上、呼吸を行っていない場合に、前記ダイバーに呼吸を促す旨の警告を行う警告部と、
を備えたことを特徴とするダイバーズ用情報処理装置。
【請求項２】
請求項１記載のダイバーズ用情報処理装置において、
前記比較部は、前記タンク残圧が変化しない時間を計測する無変化時間計測部を備え、
前記前記タンク残圧が変化しない時間が所定時間以上継続した場合に前記呼吸を行っていないと判別することを特徴とするダイバーズ用情報処理装置。
【請求項３】
請求項１または請求項２記載のダイバーズ用情報処理装置において、
前記基準エア消費率は、正常な呼吸を行っていると推定される場合に得られる下限エア消費率であることを特徴とするダイバーズ用情報処理装置。
【請求項４】
請求項３記載のダイバーズ用情報処理装置において、
前記比較部は、前記エア消費率が前記下限エア消費率を下回る期間が所定期間以上継続した場合に呼吸を行っていないと判別することを特徴とするダイバーズ用情報処理装置。
【請求項５】
請求項３記載のダイバーズ用情報処理装置において、
前記圧力計測部により計測したダイバーの周囲の圧力が増加している場合、あるいは、ほぼ一定となっている場合の平均タンク残圧減少率を算出する平均タンク残圧算出部と、
前記平均タンク残圧減少率に基づいて前記下限エア消費率を設定する下限設定部と、
を備えたことを特徴とするダイバーズ用情報処理装置。
【請求項６】
請求項５記載のダイバーズ用情報処理装置において、
前記平均タンク残圧算出部は、検出した前記ダイバー周囲の圧力に基づいて前記平均タンク残圧減少率を補正する補正部を備えたことを特徴とするダイバーズ用情報処理装置。
【請求項７】
潜水期間中における圧力から水深を計測する圧力計測過程と、
タンク残圧を検出するためにタンク側に設けられたタンク残圧検出部から、無線により前記タンク残圧を受信し、受信した前記タンク残圧に基づいて前記タンク残圧の単位時間当たりの減少率に相当するエア消費率を算出するエア消費率算出過程と、
前記エア消費率と、所定の基準エア消費率とを比較してダイバーが呼吸を行っているか否かを判別する比較過程と、
前記水深の変化および前記判別に基づいて、浮上中に前記ダイバーが所定期間以上、呼吸を行っていない場合に、前記ダイバーに呼吸を促す旨の警告を行う警告過程と、
を備えたことを特徴とするダイバーズ用情報処理装置の制御方法。
【請求項８】
ダイバーズ用情報処理装置をコンピュータにより制御するための制御プログラムにおいて、
潜水期間中における圧力から水深を計測させ、
タンク残圧を検出するためにタンク側に設けられたタンク残圧検出部から、無線により前記タンク残圧を受信し、受信した前記タンク残圧に基づいて前記タンク残圧の単位時間当たりの減少率に相当するエア消費率を算出させ、
前記エア消費率と、所定の基準エア消費率とを比較してダイバーが呼吸を行っているか否かを判別させ、
前記水深の変化および前記判別に基づいて、浮上中に前記ダイバーが所定期間以上、呼吸を行っていない場合に、前記ダイバーに呼吸を促す旨の警告を行わせる、
ことを特徴とする制御プログラム。
【請求項９】
請求項８記載の制御プログラムを記録したことを特徴とする記録媒体。
【手続補正２】
【補正対象書類名】明細書
【補正対象項目名】０００５
【補正方法】変更
【補正の内容】
【０００５】
上記課題を解決するため、潜水期間中における圧力から水深を計測する圧力計測部と、タンク残圧を検出するためにタンク側に設けられたタンク残圧検出部から、無線により前記タンク残圧を受信し、受信した前記タンク残圧に基づいて前記タンク残圧の単位時間当たりの減少率に相当するエア消費率を算出するエア消費率算出部と、前記エア消費率と、所定の基準エア消費率とを比較してダイバーが呼吸を行っているか否かを判別する比較部と、前記水深の変化および前記判別に基づいて、浮上中に前記ダイバーが所定期間以上、呼吸を行っていない場合に、前記ダイバーに呼吸を促す旨の警告を行う警告部と、を備えたことを特徴としている。
上記構成によれば、圧力計測部は、潜水期間中における圧力から水深を計測する。
一方、エア消費率算出部は、タンク残圧を検出するためにタンク側に設けられたタンク残圧検出部から、無線によりタンク残圧を受信し、受信したタンク残圧に基づいてタンク残圧の単位時間当たりの減少率に相当するエア消費率を算出する。
これらの結果、比較部は、前記エア消費率と、所定の基準エア消費率とを比較してダイバーが呼吸を行っているか否かを判別し、警告部は、水深の変化および判別に基づいて、浮上中にダイバーが所定期間以上、呼吸を行っていない場合に、ダイバーに呼吸を促す旨の警告を行う。
【手続補正３】
【補正対象書類名】明細書
【補正対象項目名】０００６
【補正方法】変更
【補正の内容】
【０００６】
この場合において、前記比較部は、前記タンク残圧が変化しない時間を計測する無変化時間計測部を備え、前記前記タンク残圧が変化しない時間が所定時間以上継続した場合に前記呼吸を行っていないと判別するようにしてもよい。
また、前記基準エア消費率は、正常な呼吸を行っていると推定される場合に得られる下限エア消費率であるようにしてもよい。
さらに、前記比較部は、前記エア消費率が前記下限エア消費率を下回る期間が所定期間以上継続した場合に呼吸を行っていないと判別するようにしてもよい。
さらにまた、前記圧力計測部により計測したダイバーの周囲の圧力が増加している場合、あるいは、ほぼ一定となっている場合の平均タンク残圧減少率を算出する平均タンク残圧算出部と、前記平均タンク残圧減少率に基づいて前記下限エア消費率を設定する下限設定部と、を備えるようにしてもよい。
また、前記平均タンク残圧算出部は、検出した前記ダイバー周囲の圧力に基づいて前記平均タンク残圧減少率を補正する補正部を備えるようにしてもよい。
【手続補正４】
【補正対象書類名】明細書
【補正対象項目名】０００７
【補正方法】変更
【補正の内容】
【０００７】
また、ダイバーズ用情報処理装置の制御方法は、潜水期間中における圧力から水深を計測する圧力計測過程と、タンク残圧を検出するためにタンク側に設けられたタンク残圧検出部から、無線により前記タンク残圧を受信し、受信した前記タンク残圧に基づいて前記タンク残圧の単位時間当たりの減少率に相当するエア消費率を算出するエア消費率算出過程と、前記エア消費率と、所定の基準エア消費率とを比較してダイバーが呼吸を行っているか否かを判別する比較過程と、前記水深の変化および前記判別に基づいて、浮上中に前記ダイバーが所定期間以上、呼吸を行っていない場合に、前記ダイバーに呼吸を促す旨の警告を行う警告過程と、を備えるようにしてもよい。
【手続補正５】
【補正対象書類名】明細書
【補正対象項目名】０００８
【補正方法】変更
【補正の内容】
【０００８】
また、ダイバーズ用情報処理装置をコンピュータにより制御するための制御プログラムにおいて、潜水期間中における圧力から水深を計測させ、タンク残圧を検出するためにタンク側に設けられたタンク残圧検出部から、無線により前記タンク残圧を受信し、受信した前記タンク残圧に基づいて前記タンク残圧の単位時間当たりの減少率に相当するエア消費率を算出させ、前記エア消費率と、所定の基準エア消費率とを比較してダイバーが呼吸を行っているか否かを判別させ、前記水深の変化および前記判別に基づいて、浮上中に前記ダイバーが所定期間以上、呼吸を行っていない場合に、前記ダイバーに呼吸を促す旨の警告を行わせる、ことを特徴としている。
この場合において、上記制御プログラムをコンピュータ読取可能な記録媒体に記録することも可能である。
【手続補正６】
【補正対象書類名】明細書
【補正対象項目名】０００９
【補正方法】変更
【補正の内容】
【０００９】
本発明によれば、ダイバーが浮上中に正常に呼吸を行っているか否かを判別し、正常に呼吸を行っていない場合には、呼吸を促す旨の警告を行って、呼吸を行うことを促すことができる。